(57)【要約】  飲料を供給するための煎出ユニット（１２）と液体を貯蔵するためのリザーバ（１４）とを一般に有し、煎出ユニット（１２）が長手方向軸（Ａ−Ａ）を有して、リザーバ（１４）が動作可能に煎出ユニット（１２）に連結される時に、リザーバ（１４）が煎出ユニット（１２）の長手方向軸周りで回転可能に可動である、飲料煎出器具。
2009504226.tif 000002
【特許請求の範囲】
【請求項１】
飲料煎出器具において：
飲料を供給するための煎出ユニットであって、長手方向軸を有する煎出ユニットと、
液体を貯蔵するためのリザーバとを含み、
前記リザーバが動作可能に前記煎出器具に連結されている時に、前記リザーバが前記煎出ユニットの前記長手方向軸周りで回転可能に可動である、飲料煎出器具。
【請求項２】
前記リザーバが、動作可能に前記煎出器具に連結される時に前記煎出ユニットと液体連通する、請求項１の飲料煎出器具。
【請求項３】
前記リザーバが、前記煎出ユニットの前記長手方向軸周りで、約２７０度未満回転可能に可動である、請求項１の飲料煎出器具。
【請求項４】
前記リザーバが取外し可能に前記煎出器具に連結される、請求項１の飲料煎出器具。
【請求項５】
前記リザーバが、前記煎出ユニットの前記長手方向軸周りで、約１００度〜約１８０度回転可能に可動である、請求項１の飲料煎出器具。
【請求項６】
前記リザーバを保持するための基台を更に含み、前記基台は、動作可能に連結されている時に、前記煎出ユニットの前記長手方向軸周りで回転可能に可動である、請求項１の飲料煎出器具。
【請求項７】
前記リザーバの少なくとも一部分が透光性である、請求項１の飲料煎出器具。
【請求項８】
動作可能に前記基台に連結された電力ケーブルを更に含み、前記電力ケーブルが、前記リザーバの回転を妨げないようになっている、請求項６の飲料煎出器具。
【請求項９】
前記煎出器具が単一杯煎出器具である、請求項１の飲料煎出器具。
【請求項１０】
前記基台がカラー部分を更に含み、前記カラー部分が前記煎出ユニット周りで回転可能に可動である、請求項６の飲料煎出器具。
【請求項１１】
飲料煎出器具において：
飲料を供給するための煎出ユニットであって、二重に凸形の形状を有する後部シェルを有する煎出ユニットと、
液体を貯蔵するためのリザーバであって、前記煎出ユニットの前記後部シェルの前記二重に凸形の形状に実質的に相補的である二重に凹形の形状を有する表面を有するリザーバとを含む飲料煎出器具。
【請求項１２】
前記煎出ユニットが長手方向軸を更に含み、前記リザーバが動作可能に前記煎出ユニットに連結される時に、前記リザーバが、前記煎出ユニットの前記長手方向軸周りで回転可能に可動である、請求項１１の飲料煎出器具。
【請求項１３】
前記リザーバが、前記煎出ユニットの前記長手方向軸周りで約２７０度だけ回転可能に可動である、請求項１１の飲料煎出器具。
【請求項１４】
前記リザーバが動作可能に前記煎出器具に連結された時に、二重に凹形の形状を有する前記リザーバの表面の少なくとも一部と前記煎出ユニットの前記後部シェルの前記実質的に相補的な二重に凸形の形状との間に、約２０ｍｍ未満の隙間が存在する、請求項１１の飲料煎出器具。
【請求項１５】
前記リザーバが、動作可能に前記器具に連結される時に前記煎出ユニットと液体連通する、請求項１１の飲料煎出器具。
【請求項１６】
前記リザーバが取外し可能に前記煎出器具に連結される、請求項１１の飲料煎出器具。
【請求項１７】
前記隙間が約１ｍｍ〜約１０ｍｍである、請求項１４の飲料煎出器具。
【請求項１８】
前記リザーバの少なくとも一部分が透光性である、請求項１１の飲料煎出器具。
【請求項１９】
飲料煎出器具において：
飲料を供給するための煎出ユニットであって、長手方向軸を有する煎出ユニットと、
基台であって、前記煎出ユニットの前記長手方向軸周りで回転可能に可動である基台と、
動作可能に前記基台に連結された電力ケーブルであって、前記リザーバの回転を妨げないようになっている電力ケーブルとを含む、飲料煎出器具。
【請求項２０】
前記基台が、前記煎出ユニットの前記長手方向軸周りで約２７０度回転可能に可動である、請求項１９の飲料煎出器具。
【発明の詳細な説明】
【技術分野】
【０００１】
本発明は、一般に、可動式リザーバを含む飲料煎出器具に関する。
【背景技術】
【０００２】
コーヒーメーカーなどの飲料煎出器具は、今日では大多数の家庭においてごく普通のものである。消費者は、家を出る必要性無しに、望む時に好みの飲料を煎出する容易さと便利さを楽しんでいる。
【０００３】
従来型の複数杯煎出器具が、消費者に長年利用可能なものであり、大部分の消費者に一般に知られている。最近まで、そのような煎出器具が、新しく煎出された飲料を買うために地元のコーヒーショップ又はコンビニエンスストアへ行くよりも、家庭で準備することを望む消費者に利用可能な、唯一の選択できるものであった。
【０００４】
複数杯煎出器具は、長年にわたって販売されていたが、問題が無い訳ではない。例えば、多くの複数杯煎出器具のリザーバは、煎出器具の中に埋め込まれていて、一般に後ろ向きに配置されている。そのようなリザーバは、接近が難しいことが多いだけでなく、見えにくく、適切に洗浄することが困難なことがある。加えて、多くの従来型煎出器具は、余りに多くの場所を占拠する。そのような煎出器具は、必要とされる要素の全てを１つの装置に組み込もうとするので、嵩高い無様な形状に終ることが多い。更に、カウンタートップの向きの違いのために、全ての従来型煎出器具が、消費者のキッチンの所望の場所にはまる訳ではなく、使用中に接近可能である角度に配置されなければならないことが多い。例えば、コーヒーを準備する時、消費者は、水リザーバに接近可能である、並びにこれが見えることを必要とする。水リザーバに接近することにより、消費者は、煎出のためにリザーバに満たすことが可能になり、一方、リザーバを見ることにより、現存水位を調べることができる。多くの煎出器具の構成（すなわち、煎出器具の後ろに埋め込まれたリザーバ）のために、これらは困難な作業であることが多い。
【０００５】
最近市場に導入された別の煎出器具は、単一杯煎出器具であり、これは、単一杯煎出器具が一般に一度に一杯の煎出された飲料を提供するという点で、従来型の複数杯煎出器具と異なる。加えて、単一杯煎出器具は、単一杯煎出器具がエスプレッソのみでなく煎出可能であってもよいという点で、エスプレッソ煎出器と異なる。普通には、単一杯煎出器具は、煎出材料が、及び特に、コーヒー、茶、ココア、牛乳系材料、果物系／芳香性材料などの飲料煎出材料が入っている、予めパッケージされたポッド、小袋、又はカートリッジと組合せで動作するように設計されている。典型的には、抽出可能な材料が入っているポッドが煎出器具の中に置かれてから２分間足らずで、新しく煎出された飲料の一人前が作り出される。
【０００６】
しかしながら、単一杯煎出器具へのこの最近の関心につれて、消費者が水リザーバを容易に見て水がどれだけ存在するか決定することが、更により大きく必要になっている。更に具体的には、大部分の単一杯煎出器具の水リザーバは、限られた量の水だけ、多くはコーヒーを一杯、可能でも２杯を煎出するのに十分なだけしか保持しないので、消費者がリザーバを容易に見ることができて、飲料を適切に煎出するのに十分な水が存在すると確信することが重要である。更に、このより小さなリザーバサイズは、リザーバが従来型煎出器具のものより多い頻度で再充満される傾向であることを意味する。したがって、リザーバへ容易に接近すること、及びこれが見えることが、消費者の満足を増大する場合もある。
【０００７】
最後に、従来型煎出器具と同様に、多くの単一杯煎出器具は、煎出器具そのものに埋め込まれたリザーバを有する。先述のように、そのような構成は、リザーバを洗浄することを不可能ではないとしても困難にし、これにより、望まれない微生物の成長をリザーバが助長するかもしれないという可能性が増大され、このことは、場合によっては、消費者が気付き得ないことさえある。
【発明の開示】
【発明が解決しようとする課題】
【０００８】
したがって、器具がカウンタトップ上の様々な位置に便利に置かれて、水リザーバへ容易に接近すること、これを見ること、及びこれを扱うことを可能にするように、可動式リザーバを有する煎出器具に対する必要性が残っている。加えて、リザーバを取外し可能に煎出器具に連結して、再充満及び洗浄を可能にすることが望ましい。
【課題を解決するための手段】
【０００９】
本発明の実施形態は、飲料煎出器具に関しており、飲料を供給するための煎出ユニットであって、長手方向軸を有する煎出ユニットと；液体を貯蔵するためのリザーバとを含んで、リザーバが動作可能に煎出ユニットに連結された時に、リザーバが、煎出ユニットの長手方向軸周りで回転可能に可動なものである。
【００１０】
別の態様において、本発明の実施形態は、飲料煎出器具に関しており、飲料を供給するための煎出ユニットであって、二重に凸形の形状を有する煎出ユニットと；液体を貯蔵するためのリザーバであって、煎出ユニットの二重に凸形の形状に実質的に相補的である二重に凹形の形状を有するリザーバとを含むものである。
【００１１】
更に別の態様において、本発明の実施形態は、飲料煎出器具に関しており、飲料を供給するための煎出ユニットであって、煎出ユニットが長手方向軸を有する煎出ユニットと；基台であって、煎出ユニットの長手方向軸周りで回転可能に可動である基台と；動作可能に基台に連結された電力ケーブルであって、リザーバの回転を妨げないようになっている電力ケーブルとを含むものである。
【発明を実施するための最良の形態】
【００１２】
Ａ．定義
本明細書で使用するとき、用語「飲料煎出器具」は、可動式注ぎ口を有する、従来型の複数杯煎出器具または単一杯煎出器具を意味する。
【００１３】
本明細書で使用するとき、用語「含む」は、種々の構成要素が本発明の方法及び物品において、併せて使用可能であることを意味する。それ故に、「本質的に〜から成る」及び「〜から成る」という用語は、含むという用語に包含される。
【００１４】
本明細書で使用するとき、用語「抽出可能な材料」は、抽出、溶解、又は希釈されて、消費可能な液体を作り出してもよい、いずれかの固体、液体、粉体、又は濃縮物を意味する。１つの実施形態では、「抽出可能な材料」は、「抽出可能な飲料材料」であってもよく、コーヒー（焙焼されて挽かれたもの、ラッテ、カプチーノ、及びエスプレッソが挙げられるが、これらに限定されない）、茶、ココア、牛乳系材料、及び／又は果物系／芳香性材料が挙げられるが、これらに限定されない。
【００１５】
本明細書で使用するとき、用語「抽出」又は「抽出する」は、可溶性物質を取り出すように溶媒で処理することを意味してもよいのみならず、本明細書で定義されるような抽出可能な材料を溶解又は希釈することを包含してもよい。
【００１６】
本明細書で使用するとき、用語「液体抽出物」は、本明細書で定義されるような、いずれかの固体、液体、粉体にされた、又は濃縮された抽出可能な材料から引き出された消費可能な液体を意味する。
【００１７】
Ｂ．飲料煎出器具
先述のように、本発明の実施形態は、リザーバを煎出ユニット周りで選択的に位置決めする、並びに任意に、再充満及び洗浄のためにリザーバを取り出すという能力を消費者に提供することによって、使用の容易さ及び便利さが改善された飲料煎出器具に関する。
【００１８】
類似番号が図面を通して類似機構に関係付けられた添付図を参照して、図１は、飲料煎出器具１０の実施形態を示しており、これは一般に、長手方向軸Ａ−Ａを有する煎出ユニット１２と、基台１６を介して動作可能に煎出ユニット１２に連結されてもよい、リザーバ１４とを含む。リザーバ１４は、以下で更に説明されるように、基台１６を介して煎出ユニット１２周りで回転可能に可動であってもよい。煎出ユニット１２は更に、任意に、注ぎ口１８、電力ケーブル２０、ドリップトレー２２、並びに１個以上の作動ボタン２４及び発光体（図示せず）を含んでもよい。飲料煎出器具１０は、複数杯煎出器具であってもよく、又は例示図に示されるように、単一杯煎出器具を含んでもよい。以下の説明はコーヒー及びコーヒー飲料並びに単一杯煎出器具に焦点が当てられているかもしれないが、そのような言及は例示の目的のためだけであって、本説明がそのような飲料又は装置に限定されるべきでないことが理解されるであろう。
【００１９】
先の説明のように、リザーバ１４は、基台１６を介して回転可能に煎出ユニット１２に連結されてもよい。一実施形態では、リザーバ１４は、煎出ユニット１２の真後ろに配置されてもよい。しかしながら、リザーバ１４が煎出ユニット１２の長手方向軸Ａ−Ａ周りで回転可能に可動であってもよいので、リザーバ１４は、（図２及び３に示されるように）煎出ユニット１２の右側へ回転されても、又は（図４及び５に示されるように）煎出ユニット１２の左側へ回転されてもよい。リザーバ１４は、煎出ユニット１２の長手方向軸Ａ−Ａ周りで（すなわち、煎出ユニット１２の１つの側から他方の側へ）約２７０度未満の回転をされてもよいと考えられている。リザーバ１４は、別の実施形態では、約１８０度未満、さらに別の実施形態では、約１００度〜約１６０度、長手方向軸Ａ−Ａ周りで回転されてもよいと考えられている。別の実施形態では、リザーバ１４は、本明細書に説明されるような煎出器具の動作性を可能にするいかなる角度にても、煎出ユニット１２周りで回転されてもよい。
【００２０】
リザーバ１４を煎出ユニット１２の長手方向軸Ａ−Ａ周りで回転させる選択を消費者に提供することによって、消費者は、消費者の必要性に最も適する位置にリザーバ１４を配置してもよい。例えば、飲料煎出器具１０を狭い領域に配置することを望む場合、消費者は、リザーバ１４を煎出ユニット１２の真後ろに配置することを選択して、煎出器具１０の全幅を最小限にしてもよい。しかしながら、リザーバ１４が常に見えることを望む場合、消費者は、リザーバ１４が容易に見えるように、基台１６を回転させることによりリザーバ１４を回転させ、煎出ユニット１０の右側又は左側へリザーバ１４を移動させてもよい。
【００２１】
図６、７、及び８は、基台１６及びリザーバ１４並びにこれらの間を連結するための代表的な構成要素を示す。図６及び７を参照して、先の説明のように、煎出器具が基台１６を含み、これが、リザーバ１４を動作可能に煎出ユニットに連結して、リザーバ１４が煎出ユニットと液体連通するようにしてもよい。基台１６は、カラー部分２６及びクレードル４２を含んでもよい。基台１６のカラー部分２６は、（図１に示されるような）煎出ユニット１２と摺動可能に関連付けられてもよく、及び任意にこれを取り囲んでもよく、並びに煎出ユニット１２の長手方向軸Ａ−Ａ周りで回転可能に可動であってもよい。カラー部分２６は更に、長手方向軸Ａ−Ａ周りのリザーバ１４の回転を限定する（以下で説明される）助けをするタブ２８を含んでもよい。更に、カラー部分２６は、内壁３２を貫く開口部を、好ましくはスリット３０を含んでもよく、チューブ３４がこれを通って延びて、液体をリザーバ１４から煎出ユニットへ移送してもよい。スリット３０は、チューブ３４（及び以下で説明される電力ケーブル２０）を収容するのに十分な寸法であってもよいが、その一体性及び／又は動作性を危うくすることがある、チューブ３４の余計な変位を可能にする程の大きさでなくてもよい。カラー部分２６は、完全な円形であり内壁３２を有するように示されているが、他の配置も可能である。
【００２２】
先の説明のように、基台１６は更に、リザーバ１４を支持する、並びにリザーバ１４を煎出ユニットに実質的に隣接する位置に保持する助けをする、クレードル４２を含んでもよい。クレードル４２は、入口４４を含んで、リザーバ１４が動作可能に基台１６を介して煎出ユニットに連結される時に、煎出ユニットをリザーバ１４の対応する出口４６（図８参照）と液体連通可能にしてもよい。そのような液体連通は、直接的な液体連通でも、間接的な液体連通でもよい。リザーバ１４が基台１６から取外し可能でないとき、直接液体連通は、リザーバ１４が有る場合にリザーバ１４から基台１６まで液体が自由に通過できるので、望ましいことがある。リザーバ１４が基台１６から取外し可能であるとき、間接液体連通は、リザーバ１４が基台１６から取り外される時に、リザーバ１４内に存在する液体がリザーバ１４から漏れないように、リザーバ１４から基台１６までの液体通路にバリア（例えば、逆止め弁（図示せず））が提供されるので、望ましいことがある。
【００２３】
リザーバ１４を取外し可能に基台１６に連結すると、幾つかの効果がもたらされる。第一に、リザーバ１４は、再充満のために飲料煎出器具から取り外されてもよく、このことは、消費者がどれだけの水を自分でリザーバ１４に追加するか調べることを可能にし、適量の水が存在することを確実にする助けをする。第二に、取外し可能なリザーバ１４は、消費者がリザーバ１４を容易に洗浄することを可能にし、このことが煎出器具を衛生的に保つ助けとなる。
【００２４】
プレート３６が、基台１６のカラー部分２６の下部に受け止められてもよく、及び任意に、プレート３６中の穴３８を通って煎出ユニットの中へ突き出る締結具（図示せず）によって煎出ユニットに固定的に連結され、これにより、煎出ユニットを支持してもよい。プレート３６は、案内部４０を更に含んで、プレート３６が基台１６のカラー部分２６により動作可能に受け止められる時、案内部４０がカラー部分２６の内壁３２とぴったり重なるようになっていてもよい。この構成は、基台１６のカラー部分２６を適所に保持することを助けるのみならず、カラー部分２６が煎出ユニット周りでプレート３６に相対的に摺動可能に回転する時に、基台１６のカラー部分２６の移動を方向づける助けもする。
【００２５】
先述のように、基台１６は更に、飲料煎出器具に電気を供給するための電力ケーブル２０を含んでもよい。基台１６のカラー部分２６上に電力ケーブル２０を配置すると、基台１６のカラー部分２６及びリザーバ１４が回転するのと一緒に、電力ケーブル２０を長手方向軸Ａ−Ａ周りで回転可能にすることができる。更に具体的には、電力ケーブル２０は、リザーバ１４の回転を妨げないように、チューブ３４と一緒にカラー部分２６の後ろ区分４８からスリット３０を通って延びてもよい。電力ケーブル２０を煎出ユニット周りで回転させる能力により、電力ケーブル２０を使用のために便利に配置できるのみならず、審美的に喜ばしい場所に置くこともできる。
【００２６】
図９、１０、１１を参照して、煎出ユニット１２の後部シェル４９は、脚部５０ａ及び５０ｂ並びに通路５２及び溝５４を含んでもよく、これらの全てが、基台１６のカラー部分２６の回転を助ける。脚部５０ａ及び５０ｂは、煎出ユニット１２に対する支持を提供してもよく、並びに煎出ユニット１２への取付けのためにチューブ３４及び電力ケーブル２０を脚部５０ａと５０ｂの間の所望の場所へ方向付けて通路５２を通す助けをしてもよい。具体的には、脚部５０ａ及び５０ｂは、通路５２が煎出ユニット１２の長手方向軸Ａ−Ａのあたりに位置するように、配置されてもよい。通路５２をこの方法で配置することによって、チューブ３４及び電力ケーブル２０は、回転中に、入口４４及びカラー部分２６の後ろ区分４８それぞれと実質的に等距離のままであってもよい。このことは、回転又は液体連通を妨げるおそれのある、チューブ３４及び／又は電力ケーブル２０のからまり又は捩れを防止する助けをする。通路５２は、チューブ３４及び電力ケーブル２０を収容するのに十分な寸法にされるべきであるが、チューブ３４及び電力ケーブル２０の一体性及び／又は動作性を危うくすることがある、チューブ３４及び電力ケーブル２０の余計な変位を可能にする程の大きさにされるべきではない。
【００２７】
やはり回転を助けているのは、後部シェル４９の舌部５６に配置されてもよい並びに第一末端部５８及び第二末端部６０を有する、溝５４である。後部シェル４９が動作可能に基台に連結される時、タブ２８（図６に示す）が、溝５４に受け入れられてもよい。タブが溝５４の第一末端部５８と第二末端部６０の間を回転する時、基台の回転を限定することができる。タブ２８及び溝５４の場所が逆にされてもよく、タブ２８が後部シェル４９から延び、一方、溝５４が基台に配置されるようになっていてもよいことを、当業者は理解するであろう。溝５４の長さと脚部５０ａ及び５０ｂの配置は、先の説明のように、回転中に、チューブ３４及び電力ケーブル２０がクレードルの入口及びカラー部分の後ろ区分それぞれから実質的に等距離のままであって、これにより、回転及び／又は動作性を妨げるおそれのあるからまり又は捩れを防止するような具合になっていてもよい。
【００２８】
これまでの説明は、リザーバ及び基台を回転させるのに使用されてもよい１つの組立を例示する代表的な実施形態であって、そのように限定されるべきでないことが理解されるであろう。一般に、チューブ及び／又は電力ケーブルのからみ、捩れ、又は他の方法で機能を危うくすることなく、煎出ユニット周りでのリザーバの回転を提供するいかなる組立も、本明細書に用いるのに受入れ可能である。
【００２９】
図１２に示されるように、リザーバ１４は、二重に凹形の形状６２を有する表面６１を含んでもよく、この形状は、煎出ユニット１２の後部シェル４９の（図１３に示されるような）二重に凸形の形状６４に実質的に相補的又は嵌りこみ可能であって、これに相対的な回転を可能にしてもよいのみならず、リザーバそのものの動作性を助けてもよい。リザーバ１４は、垂直の凹面並びに水平の凹面を含むことができる。更に具体的には、リザーバ１４は、第一の側辺６６及び第二の側辺６８を含んで、第一の側辺６６と第二の側辺６８の間で内向きに曲線状であってもよい。同様に、リザーバ１４は、上側部分７０及び下側部分７２を含んで、リザーバ１４の少なくとも一部分が、上側部分７０と下側部分７２の間で内向きに曲線状であってもよく、一実施形態では、リザーバ１４は、上側部分７０から下側部分７２まで内向きに曲線状である。第一の側辺６６と第二の側辺６８の間の水平凹面が、前述の上側部分７０から下側部分７２までの垂直凹面と組み合わさって、リザーバ１４の上側部分７０がリザーバ１４の下側部分７２より大きい面積を占めるという結果になってもよい。上側部分７０が一般に下側部分７２より大きいことにより、下側部分７２がより小さくて把握及び扱うのにより簡単であるので、リザーバ１４の取扱いの容易さが改善される。更に、リザーバ１４の表面６１の二重に凹形の形状６２は、煎出器具の全体的な美的魅力に寄与する可能性がある。
【００３０】
図１４を参照して、高い程度の機能性を維持しながら煎出器具をコンパクトにする努力の中で、リザーバ１４が液体を充満されて動作可能に煎出ユニット１２に連結される時、約２０ｍｍ未満の隙間７４が、二重に凹形の形状を有するリザーバ１４の表面６１の少なくとも一部分と実質的に相補的な二重に凸形の形状を含む煎出ユニット１２の後部シェル４９との間に存在してもよい。この寸法の隙間７４を有することが、リザーバ１４を煎出ユニット１２に密接して保持する助けをし、しかしそれでも、リザーバ１４を煎出ユニット１２周りで滑らかに回転させるのに十分な空間をリザーバ１４と煎出ユニット１２の間に提供する。代替実施形態では、隙間７４は、約１ｍｍ〜約１０ｍｍであってもよい。もちろん、リザーバ１４の表面６１と煎出ユニット１２の後部シェル４９との間のいずれかの隙間は、飲料煎出器具の全体的な大きさに依存して、より大きくても又はより小さくてもよいことを理解すべきである。
【００３１】
更に、リザーバの少なくとも一部分は、半透明であっても、透明であってもよい。透光性又は透明性によって、消費者がリザーバ中に存在する水量を見られることが更に助けられる。もちろん、いかなる半透明または透明材料も、本明細書に用いるのに受入れ可能であって、プラスチック、ガラス、又は他の類似材料が挙げられるが，これらに限定されない。
【００３２】
本明細書で説明される煎出器具の実施形態は、多くの従来型煎出器具に普通であると当該技術分野において知られているが本説明には示されていない、加熱器、ポンプ、及び制御システムなどの内部構成要素、並びに煎出バスケット、ポッドホルダー（適用可能な時）、及び閉止機構などの更なる任意構成要素が挙げられるがこれらに限定されない、追加構成要素を含んでもよいことが理解されるであろう。更に、本明細書で説明される煎出器具の実施形態並びにその構成要素は、当該技術分野において既知の様々な材料で構成されてもよく、プラスチック、金属などが挙げられるが、これらに限定されない。様々な構成要素を構成するのに最適な材料を各構成要素の機能に基づいて如何に選定するかは、当業者が理解しているであろう。
【００３３】
煎出器具の使用は、以下の説明のように行われてもよい。抽出可能な材料が、任意に、ポッド又は小袋中にパッケージされた抽出可能な材料が、煎出ユニットの煎出バスケットの中に置かれてもよく、及び電力ケーブルがコンセントに差し込まれると、電気を煎出器具に供給することができる。消費者は、液体を追加できるように、又は現存の液体水位をチェックできるように、リザーバを煎出ユニット周りで所望の位置に回転させることを、その位置へ基台を回転させることによって行うことができる。次に、消費者は、どのサイズの飲料が望ましいか、その飲料サイズに対応する動作ボタンを活性化することにより、選定してもよい。煎出サイクルが開始されると、リザーバからの液体が、リザーバの出口を通り基台のクレードルの入口を通って、チューブに引き込まれる。チューブは、基台のカラー部分中のスリットを通って煎出ユニットまで液体を運び、液体が、一般に圧力下で、加熱器の中を移動して抽出可能な材料が入っているポッドの上に供給される。液体がポッドを通過するにつれて、得られた抽出物は最後に、煎出バスケットから注ぎ口を通って移動し、注ぎ口中の供給オリフィスを経由して煎出器具を出て、消費者のカップの中に収集可能となる。
【００３４】
本明細書で説明される煎出器具の実施形態は、多くの従来型煎出器具に普通であるが本説明には示されていない、加熱器、ポンプ、及び制御システムなどの内部構成要素、並びに煎出バスケット、ポッドホルダー（適用可能な時）、及び閉止機構などの更なる任意構成要素が挙げられるがこれらに限定されない、追加構成要素を含んでもよいことが理解されるであろう。更に、本明細書で説明される煎出器具の実施形態並びにその構成要素は、当該技術分野において既知の様々な材料で構成されてもよく、プラスチック、金属などが挙げられるが、これらに限定されない。様々な構成要素を構成するのに最適な材料を各構成要素の機能に基づいて如何に選定するかは、当業者が理解しているであろう。
【００３５】
「発明を実施するための最良の形態」で引用したすべての文献は、関連部分において本明細書に参考として組み込まれるが、いずれの文献の引用も、それが本発明に対する先行技術であることを容認するものと解釈されるべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【００３６】
本発明の特定の実施形態について例示及び説明したが、本発明の精神及び範囲から逸脱することなく、他の様々な変更及び修正が可能であることが、当業者には明白であろう。したがって、本発明の範囲内にあるそのようなすべての変更及び修正を、添付の特許請求の範囲で扱うものとする。
【図面の簡単な説明】
【００３７】
【図１】本発明に従う飲料煎出器具の一実施形態の概略斜視図。
【図２】煎出ユニットの右側に位置するリザーバを有する、本発明に従う飲料煎出器具の一実施形態の概略正面図。
【図３】煎出ユニットの右側に位置するリザーバを有する、本発明に従う飲料煎出器具の一実施形態の概略平面図。
【図４】煎出ユニットの左側に位置するリザーバを有する、本発明に従う飲料煎出器具の一実施形態の概略正面図。
【図５】煎出ユニットの左側に位置するリザーバを有する、本発明に従う飲料煎出器具の一実施形態の概略平面図。
【図６】本発明に従う基台及びプレートの一実施形態の概略斜視図。
【図７】本発明に従う基台に動作可能に連結されたリザーバの一実施形態の概略斜視図。
【図８】本発明に従うリザーバの底部の一実施形態の概略斜視図。
【図９】本発明に従う、取り付けられたプレートを有する後部シェルの外側の一実施形態の概略斜視図。
【図１０】本発明に従う、取り付けられたプレートを有する後部シェルの内側の一実施形態の概略斜視図。
【図１１】本発明に従う後部シェルの下側の一実施形態の概略斜視図。
【図１２】本発明に従うリザーバの一実施形態の概略斜視図。
【図１３】本発明に従う煎出ユニット及び基台の一実施形態の概略側面図。
【図１４】本発明に従う飲料煎出器具の一実施形態の概略の上斜視図。
【図１４Ａ】図１４の一部の拡大概略図。
【図１】
2009504226.tif 000003
【図２】
2009504226.tif 000004
【図３】
2009504226.tif 000005
【図４】
2009504226.tif 000006
【図５】
2009504226.tif 000007
【図６】
2009504226.tif 000008
【図７】
2009504226.tif 000009
【図８】
2009504226.tif 000010
【図９】
2009504226.tif 000011
【図１０】
2009504226.tif 000012
【図１１】
2009504226.tif 000013
【図１２】
2009504226.tif 000014
【図１３】
2009504226.tif 000015
【図１４】
2009504226.tif 000016
【図１４Ａ】
2009504226.tif 000017
【国際調査報告】
2009504226.tif 000018
2009504226.tif 000019
2009504226.tif 000020
2009504226.tif 000021